(57)【要約】【課題】手のひらを回内させながら腕部を肘関節を中心とする内旋運動、内旋状態から肘関節を中心に腕部を伸ばしていく際の外旋運動何れにも対応することができる肘関節用サポーターを提供することを課題とする。【解決手段】縦・横２方向に伸縮するトリコット生地で構成され、両端部2a,2bを手のひらを回内させる際の腕部の肘関節を中心とする内旋運動方向に傾斜させて裁断するとともに、両端部2a,2bを逢着して形成し、その肘部分にレーヨン生地で構成される肘当て片４を逢着し、更に肘当て片４内には緩衝材５を装着するとともに、緩衝材５に腕部の肘関節を中心とした内旋運動方向にスリット5aを設けるようにした肘関節用サポーター。【選択図】図１
0003123048.tif 000002
【実用新案登録請求の範囲】
【請求項１】
縦・横２方向に伸縮するトリコット生地で構成され、その両端部を手のひらを回内させる際の腕部の肘関節を中心とする内旋運動方向に傾斜させて裁断するとともに、該両端部を逢着して形成することを特徴とする肘関節用サポーター。
【請求項２】
肘部分にレーヨン生地で構成される肘当て片を逢着した請求項１記載の肘関節用サポーター。
【請求項３】
肘当て片に緩衝材を装着した請求項２記載の肘関節用サポーター。
【請求項４】
緩衝材に腕部の肘関節を中心とした内旋運動方向にスリットを設けた請求項３記載の肘関節用サポーター。
【考案の詳細な説明】
【技術分野】
【０００１】
この考案は、前腕が回内運動する際の肘関節の動きに対応するようにした肘関節用サポーターに関する。
【背景技術】
【０００２】
手のひらには回内運動と回外運動があるが（図３参照）、バレーボールのアンダーパスに見られるように、通常の競技スポーツにおいて手のひらを回内させるものが殆どであり、この際腕部は肘関節を中心として内旋運動させられ（図４参照）、また、手のひら回外時に肘関節が屈曲運動されることがあるが（図５参照）、これらの場合、肘関節の動きについて見れば、単純な屈曲・伸展というより内旋乃至外旋運動させられている。
【０００３】
しかし、従来の立体裁断タイプの肘関節用サポーターは、手のひらを回外した状態で肘関節を若干（１０〜１５度）屈曲した位置で最もフイットするように設計されている。
【０００４】
その他、肘関節用サポーターとしてシームレスタイプのものも数多く提案されている（特開平9-285587号、特開2005-185629、実開昭56-11879、実用新案登録第3055723号）
【特許文献１】特開平9-285587号、特開2005-185629、実開昭56-11879、実用新案登録第3055723号
【考案の開示】
【考案が解決しようとする課題】
【０００５】
しかし、上述の立体裁断タイプの肘関節用サポーターでは、手のひらを回内させながら腕部は肘関節を中心として内旋乃至外旋運動させると、サポーターの形状は肘関節の運動に追随できず、サポーター内側にしわが生ずることがある。
【０００６】
また、シームレスタイプの肘関節用サポーターは手のひらを回外した状態で肘の屈曲・伸展運動を前提に設計された上腕部から前腕部に向かってほぼストレートの形状であるため、手のひらを回内させながら腕部は肘関節を中心として内旋乃至外旋運動させると、サポーターの形状は肘関節の運動に追随できず、サポーター内側にしわが生ずることがある。
【課題を解決するための手段】
【０００７】
この考案は、上記実情に鑑み、縦・横２方向に伸縮するトリコット生地で構成され、その両端部を手のひらを回内させる際の腕部の肘関節を中心とする内旋運動方向に傾斜させて裁断するとともに、該両端部を逢着して形成した肘関節用サポーターを提案するものである。
【考案の効果】
【０００８】
即ち、この考案では縦・横２方向に伸縮するトリコット生地を使用し、しかもその両端部を手のひらを回内させる際の腕部の肘関節を中心とする内旋運動方向に傾斜させて裁断するとともに、該両端部を逢着して形成するため、手のひらを回内させながら腕部を肘関節を中心とする内旋運動、内旋状態から肘関節を中心に腕部を伸ばしていく際の外旋運動何れにも対応することができる。
【０００９】
更に、手のひらを回内させながら肘関節を中心に内旋運動を行う際にはサポーター生地はゆがみながら肌に効果的に密着し、逆に内旋状態から肘関節を中心に腕部を伸ばしていく外旋運動を行う際にもサポーター生地が肌に効果的に密着するため、サポーターと肌との密着性が極めて高くなる。
【００１０】
更に、摩擦に強いレーヨン生地からなる肘当て片を逢着すれば、サポーターとの摩擦接触が考えられる床・グランド等における運動にも対応できる。
【００１１】
なお、肘当て片にはその前面或いは内面に緩衝材を装着すれば、摩擦接触の際の衝撃を和らげることができ、更に緩衝材に腕部の肘関節を中心とする内旋運動方向にスリットを設けるようにすれば、緩衝材は手のひらを回内させる際の腕部の肘関節を中心とする内旋運動に追随させることができる。
【考案を実施するための最良の形態】
【００１２】
縦・横２方向に伸縮するトリコット生地で構成され、その両端部を手のひらを回内させる際の腕部の肘関節を中心とする内旋運動方向に傾斜させて裁断するとともに、該両端部を逢着して形成し、その肘部分にレーヨン生地で構成される肘当て片を逢着し、更に肘当て片内には緩衝材を装着するとともに、該緩衝材に腕部の肘関節を中心とした内旋運動方向にスリットを設けるようにした肘関節用サポーター。
【実施例１】
【００１３】
以下、この考案を図示の実施例に基づいて詳細に説明すると、１は縦・横２方向に伸縮するトリコット生地で構成されたサポーター片で、サポーター片１はその両端部2a,2bは
手のひらを回内させる際の腕部の肘関節を中心とする内旋運動方向に傾斜させて裁断され、更に両端部2a,2bを逢着してサポーター本体３を形成する。
【００１４】
また、サポーター本体３の肘当て部にはレーヨン生地からなる肘当て片４が逢着され、更に肘当て片４内には腕部の肘関節を中心とした内旋運動方向にスリット5a（傾斜角度30度）を設けた緩衝材５が装着される。
【００１５】
この考案は以上のように構成され、サポーター片１として縦・横２方向に伸縮するトリコット生地を使用し、しかも両端部2a,2bを手のひらを回内させる際の腕部の肘関節を中心とする内旋運動方向に傾斜させて裁断し、両端部2a,2bを逢着して形成するため、手のひらを回内させながら腕部を肘関節を中心とする内旋運動、内旋状態から肘関節を中心に腕部を伸ばしていく際の外旋運動何れにも対応することができる。
【００１６】
更に、この実施例では摩擦に強いレーヨン生地からなる肘当て片４を逢着しているので、サポーター本体３との摩擦接触が考えられる床・グランド等における運動にも対応できる。
【００１７】
また、この実施例では肘当て片４内には緩衝材５が装着されているので、床・グランド等における摩擦接触した際の衝撃を和らげることができ、更に緩衝材５には腕部の肘関節を中心とした内旋運動方向にスリット5aが設けられているため、手のひらを回内させる際の腕部の肘関節を中心とする内旋運動に追随させることができる。
【産業上の利用可能性】
【００１８】
以上要するに、この考案によれば手のひらを回内させながら腕部を肘関節を中心とする内旋運動、内旋状態から肘関節を中心に腕部を伸ばしていく際の外旋運動何れにも対応することができる肘関節用サポーターを提供することができる。
【図面の簡単な説明】
【００１９】
【図１】この考案に係る肘関節用サポーターの製造工程を示すもので、（ａ）はその中心部分に緩衝材を装着したサポーター片の正面図、（ｂ）はサポーター片の中央部に逢着される肘当て片の正面図、（ｃ）はサポーター片から形成されたサポーター本体の側面図、（ｄ）は同上のサポーター本体の正面図
【図２】この考案に係るサポーターを装着した状態での手のひら回内時の肘関節の内旋運動を示す正面図
【図３】手のひらの回内・回外運動を示す図
【図４】手のひら回外時の肘関節屈曲運動を示す図
【図５】手のひら回内時の肘関節を中心とした内旋運動を示す図
【符号の説明】
【００２０】
１はサポーター片
2a,2bはサポーター片の端部
３はサポーター本体
４は肘当て片
５は緩衝材
5aはスリット
【図１】
0003123048.tif 000003
【図２】
0003123048.tif 000004
【図３】
0003123048.tif 000005
【図４】
0003123048.tif 000006
【図５】
0003123048.tif 000007